(57)【要約】【課題】  エレベータ保守時に乗場押し釦灯を点灯させる点検モード機能を付加することにより、運転方向保持時であっても、保持した運転方向と同方向の乗場押し釦灯の点灯点検を可能にしたエレベータ装置及びエレベータの保守方法を得る。【解決手段】  乗場呼び釦７、８と、乗場呼び釦が操作されると乗場呼びを登録し、乗場呼びが登録されると乗場呼び釦灯を点灯するエレベータ制御部２と、保守時にエレベータ制御部にアクセスして乗場呼び釦灯の点検モードに設定するモード選択装置３とを備え、モード選択装置は、乗場呼び釦灯の点検モードに設定された時、乗場呼び釦が運転方向保持時であっても、乗場呼び釦の操作に連動して乗場呼び釦灯の点灯を反転させる。【選択図】    図１
2006193309.tif 000002
【特許請求の範囲】
【請求項１】
乗場呼び釦と、
前記乗場呼び釦が操作されると乗場呼びを登録し、前記乗場呼びが登録されると乗場呼び釦灯を点灯するエレベータ制御部と、
保守時に前記エレベータ制御部にアクセスして乗場呼び釦灯の点検モードに設定するモード選択装置とを備え、
前記モード選択装置は、乗場呼び釦灯の点検モードに設定された時、前記乗場呼び釦が運転方向保持時であっても、乗場呼び釦の操作に連動して乗場呼び釦灯の点灯を反転させることを特徴とするエレベータ装置。
【請求項２】
モード選択装置は、乗場呼び釦が操作され乗場呼び登録がされた時乗場呼び釦灯を消灯し、乗場呼び釦の操作を離した時乗場呼び釦灯を点灯するとともに、乗場呼び釦が操作され乗場呼びが登録されない時乗場呼び釦灯を点灯し、乗場呼び釦の操作が所定時間以内であれば乗場呼び釦の操作を離した時乗場呼び釦灯を消灯し、また乗場呼び釦の操作が所定時間以上であれば乗場呼びを登録するとともに乗場呼び釦の操作を離した時乗場呼び釦灯を点灯保持することを特徴とする請求項１記載のエレベータ装置。
【請求項３】
乗場呼び釦と、
前記乗場呼び釦が操作されると乗場呼びを登録し、前記乗場呼びが登録されると乗場呼び釦灯を点灯するエレベータ制御部とを備えたエレベータ装置において、
保守時に前記エレベータ制御部に対しモード選択装置を外付け接続するステップと、前記モード選択装置から前記エレベータ制御部にアクセスして乗場呼び釦灯の点検モードに設定するステップと、乗場呼び釦灯の点検モードに設定された時、前記乗場呼び釦が運転方向保持時であっても、乗場呼び釦の操作に連動して乗場呼び釦灯の点灯を反転させるステップとを備えたことを特徴とするエレベータの保守方法。
【請求項４】
乗場呼び釦と、
前記乗場呼び釦が操作されると乗場呼びを登録し、前記乗場呼びが登録されると乗場呼び釦灯を点灯するエレベータ制御部とを備えたエレベータ装置において、
保守時に前記エレベータ制御部に対しモード選択装置を外付け接続するステップと、前記モード選択装置から前記エレベータ制御部にアクセスして乗場呼び釦灯の点検モードに設定するステップと、乗場呼び釦が操作され乗場呼び登録がされた時乗場呼び釦灯を消灯し、乗場呼び釦の操作を離した時乗場呼び釦灯を点灯するステップと、乗場呼び釦が操作され乗場呼びが登録されない時乗場呼び釦灯を点灯し、乗場呼び釦の操作が所定時間以内であれば乗場呼び釦の操作を離した時乗場呼び釦灯を消灯するステップと、乗場呼び釦の操作が所定時間以上であれば乗場呼びを登録するとともに乗場呼び釦の操作を離した時乗場呼び釦灯を点灯保持するステップとを備えたことを特徴とするエレベータの保守方法。
【発明の詳細な説明】
【技術分野】
【０００１】
この発明は、エレベータ保守時に乗場押し釦灯を点灯させる乗場押し釦灯の点検モード機能を付加したエレベータ装置及びエレベータの保守方法に関するものである。
【背景技術】
【０００２】
従来のエレベータ装置においては、エレベータがある階で停止しても、扉が閉じるまで運転方向を保持したままであるので、運転方向と同方向の乗場押し釦灯は、押しても点灯しない。従って、保守時に運転方向と同方向の乗場押し釦灯の点灯点検を行うには、扉が閉じるまで待つか、或いはかご内操作盤などに設置された保全作業用のスイッチにより呼びの登録とエレベータ運転方向を解除するための操作を行う必要がある（例えば、特許文献１参照）。また、１系列の乗場押し釦で複数台のエレベータが動くエレベータ装置においては、利用者が乗場押し釦を押した状態であると、他のエレベータがその階に到着するまで呼び登録が保持された（乗場押し釦が点灯した）状態になっている。
【０００３】
【特許文献１】特開２００３−２２６４７６号公報
【発明の開示】
【発明が解決しようとする課題】
【０００４】
従来のエレベータ装置では、保守時に運転方向と同方向の乗場押し釦灯の点灯点検を行うには、扉が閉じるまで待つか、或いはかご内操作盤などに設置された保全作業用のスイッチにより呼びの登録とエレベータ運転方向を解除するための操作を行う必要があるので、作業時間が長くなり、無駄な時間が生じていた。また、１系列の乗場押し釦で複数台のエレベータが動くエレベータ装置においては、利用者が乗場押し釦を押した状態であると、他のエレベータがその階に到着するまで乗場押し釦が点灯している為、乗場押し釦の動作確認を行うことができない。
【０００５】
この発明は、上述のような課題を解決するためになされたもので、エレベータ保守時に乗場押し釦灯を点灯させる点検モード機能を付加することにより、運転方向保持時であっても、保持した運転方向と同方向の乗場押し釦灯の点灯点検を可能にしたエレベータ装置及びエレベータの保守方法を提供するものである。
【課題を解決するための手段】
【０００６】
この発明に係るエレベータ装置においては、乗場呼び釦と、乗場呼び釦が操作されると乗場呼びを登録し、乗場呼びが登録されると乗場呼び釦灯を点灯するエレベータ制御部と、保守時にエレベータ制御部にアクセスして乗場呼び釦灯の点検モードに設定するモード選択装置とを備え、モード選択装置は、乗場呼び釦灯の点検モードに設定された時、乗場呼び釦が運転方向保持時であっても、乗場呼び釦の操作に連動して乗場呼び釦灯の点灯を反転させるものである。
【０００７】
また、この発明に係るエレベータの保守方法においては、乗場呼び釦と、乗場呼び釦が操作されると乗場呼びを登録し、乗場呼びが登録されると乗場呼び釦灯を点灯するエレベータ制御部とを備えたエレベータ装置において、保守時にエレベータ制御部に対しモード選択装置を外付け接続するステップと、モード選択装置からエレベータ制御部にアクセスして乗場呼び釦灯の点検モードに設定するステップと、乗場呼び釦灯の点検モードに設定された時、乗場呼び釦が運転方向保持時であっても、乗場呼び釦の操作に連動して乗場呼び釦灯の点灯を反転させるステップとを備えたものである。
【発明の効果】
【０００８】
この発明は、モード選択装置にて乗場押し釦灯の点検モードに設定することにより、例え運転方向保持時であっても、乗場呼び押し釦の操作に連動して乗場呼び押し釦灯の点灯が反転する機能が付加されるので、保持した運転方向と同方向の乗場呼び押し釦灯の点検が可能になるという効果がある。
【発明を実施するための最良の形態】
【０００９】
実施の形態１．
図１はこの発明の実施の形態１におけるエレベータ装置の信号の流れを示すシステム構成図、図２はこの発明の実施の形態１におけるエレベータ装置の乗場を示す正面図、図３はこの発明の実施の形態１におけるエレベータ装置の乗場上り呼び押し釦を操作した場合の動作フローを示すフローチャート、図４はこの発明の実施の形態１におけるエレベータ装置の乗場下り呼び押し釦を操作した場合の動作フローを示すフローチャートである。
【００１０】
図において、１はエレベータ制御盤、２はエレベータ制御部、３はエレベータ制御部２にアクセスして乗場押し釦灯点検モードに設定するモード選択装置である。このモード選択装置３は、エレベータ制御盤１に内蔵して設けてもよいし、また例えば携帯型保守制御装置（メンテナンスコントローラ）に内蔵しておき、保守時に携帯型保守制御装置をエレベータ制御部２に接続してモード選択できる外付け式のものであってもよい。４は押し釦信号入力部、５は押し釦灯出力部、６は各階乗場に設けられた各階乗場押し釦、７は乗場上り呼び押し釦で、その背面側に乗場呼びを登録する乗場押し釦灯（図示せず）を備えている。８は乗場下り呼び押し釦で、その背面側に乗場呼びを登録する乗場押し釦灯（図示せず）を備えている。９は乗場扉である。
図１はエレベータ装置の信号の流れを示しており、各階乗場押し釦６に設けられた乗場上り呼び押し釦７や乗場下り呼び押し釦８の呼び登録信号は、押し釦信号入力部４を通して、エレベータ制御盤１内のエレベータ制御部２に入力される。エレベータ制御部２はエレベータの運転方向に合わせて押し釦灯出力部５を通して、押し釦灯の点灯信号を乗場上り押し釦７や乗場下り押し釦８に伝送している。
【００１１】
次に、エレベータ装置の乗場上り呼び押し釦を操作した場合の動作フローについて、図３を用いて説明する。
この発明の機能を動作させるためには、モード選択装置３にてエレベータ制御部２にアクセスして乗場押し釦灯の点検モードに設定する必要がある。モード選択装置３は、エレベータ制御盤１に内蔵して設けてもよいが、例えば携帯型保守制御装置（メンテナンスコントローラ）に内蔵しておき、保守時に携帯型保守制御装置をエレベータ制御部２に接続してモード選択できる外付け式にした場合は、既設のエレベータに対しても、モード選択装置を内蔵した携帯型保守制御装置を接続するだけで、この発明のエレベータの保守方法を容易に実施することができる。この乗場押し釦灯の点検モードに設定されたエレベータの停止階において、乗場上り呼び押し釦７を操作した場合、保持している運転方向に拘らず、図３に示す動作フローとなる。
先ず、ステップＳ１で、乗場上り呼び押し釦７が操作されると、ステップＳ２において乗場上り呼び登録がされている場合（乗場上り呼び押し釦灯が点灯している場合）は、乗場上り呼び押し釦灯が消灯する（ステップＳ３）。なお、この際、乗場上り呼び登録は解除されず、ステップＳ４で乗場上り呼び押し釦７の操作を離すと、乗場上り呼び押し釦灯は再点灯する。
また、ステップＳ１で、乗場上り呼び押し釦７が操作されると、ステップＳ２において乗場上り呼び登録がされていない場合（乗場上り呼び押し釦灯が消灯している場合）は、乗場上り呼び押し釦灯が点灯する（ステップＳ６）。なお、ステップＳ７で乗場上り呼び押し釦７の押下げ時間が例えば連続３秒以内なら、上り呼び登録は行われず、ステップＳ１１で乗場上り呼び押し釦７の操作を離すと、乗場上り呼び押し釦灯は消灯する（ステップＳ１２）。ステップＳ７で乗場上り呼び押し釦７の押下げ時間が例えば連続３秒を超えると、上り呼び登録が行われ（ステップＳ８）、その後、乗場上り呼び押し釦７の操作を離しても（ステップＳ９）、乗場上り呼び押し釦灯は点灯保持したままの状態になる（ステップＳ１０）。
以上のように、モード選択装置３にて乗場押し釦灯の点検モードに設定することにより、例え運転方向保持時であっても、乗場上り呼び押し釦の操作に連動して乗場上り呼び押し釦灯の点灯が反転する機能が付加されるので、保持した運転方向と同方向の乗場上り呼び押し釦灯の点検が可能となる。
【００１２】
次に、エレベータ装置の乗場下り呼び押し釦を操作した場合の動作フローについて、図４を用いて説明する。
この場合も上記と同様に、モード選択装置３にてエレベータ制御部２にアクセスして乗場押し釦灯点検モードに設定する。この乗場押し釦灯点検モードに設定されたエレベータの停止階において、乗場下り呼び押し釦８を操作した場合、保持している運転方向に拘らず、図４に示す動作フローとなる。
先ず、ステップＳ２１で、乗場下り呼び押し釦８が操作されると、ステップＳ２２において乗場下り呼び登録がされている場合（乗場下り呼び押し釦灯が点灯している場合）は、乗場下り呼び押し釦灯が消灯する（ステップＳ２３）。なお、この際、乗場下り呼び登録は解除されず、ステップＳ２４で乗場下り呼び押し釦８の操作を離すと、乗場下り呼び押し釦灯は再点灯する。
また、ステップＳ２１で、乗場下り呼び押し釦８が操作されると、ステップＳ２２において乗場下り呼び登録がされていない場合（乗場下り呼び押し釦灯が消灯している場合）は、乗場下り呼び押し釦灯が点灯する（ステップＳ２６）。なお、ステップＳ２７で乗場下り呼び押し釦８の押下げ時間が例えば連続３秒以内なら、下り呼び登録は行われず、ステップＳ３１で乗場下り呼び押し釦８の操作を離すと、乗場下り呼び押し釦灯は消灯する（ステップＳ３２）。ステップＳ２７で乗場下り呼び押し釦８の押下げ時間が例えば連続３秒を超えると、下り呼び登録が行われ（ステップＳ２８）、その後、乗場下り呼び押し釦８の操作を離しても（ステップＳ２９）、乗場下り呼び押し釦灯は点灯保持したままの状態になる（ステップＳ３０）。
以上のように、モード選択装置３にて乗場押し釦灯の点検モードに設定することにより、例え運転方向保持時であっても、乗場下り呼び押し釦の操作に連動して乗場下り呼び押し釦灯の点灯が反転する機能が付加されるので、保持した運転方向と同方向の乗場下り呼び押し釦灯の点検が可能となる。
【図面の簡単な説明】
【００１３】
【図１】この発明の実施の形態１におけるエレベータ装置の信号の流れを示すシステム構成図である。
【図２】この発明の実施の形態１におけるエレベータ装置の乗場を示す正面図である。
【図３】この発明の実施の形態１におけるエレベータ装置の乗場上り呼び押し釦を押した場合の動作フローを示すフローチャートである。
【図４】この発明の実施の形態１におけるエレベータ装置の乗場下り呼び押し釦を押した場合の動作フローを示すフローチャートである。
【符号の説明】
【００１４】
１  エレベータ制御盤
２  エレベータ制御部
３  モード選択装置
４  押し釦信号入力部
５  押し釦灯出力部
６  各階乗場押し釦
７  乗場上り呼び押し釦
８  乗場下り呼び押し釦
９  乗場扉
【図１】
2006193309.tif 000003
【図２】
2006193309.tif 000004
【図３】
2006193309.tif 000005
【図４】
2006193309.tif 000006